(57)【要約】  本発明は、協調マルチポイント（ＣｏＭＰ）の移送ポイントのチャネル状態情報参照信号（ＣＳＩ−ＲＳ）の拡張された参照信号受信電力（ｅＲＳＲＰ）を測定する方法およびデバイスと、測定に基づいて測定セット／協働セットを維持する方法およびデバイスとを提供する。複数の移送ポイントによって送信されるＣＳＩ−ＲＳを受信するステップと、測定構成に基づいて複数の移送ポイントのＣＳＩ−ＲＳのｅＲＳＲＰを測定および評価するステップと、測定されたＣＳＩ−ＲＳのｅＲＳＲＰに関する測定レポートを送信するステップとを含むｅＲＳＲＰを報告するための方法が提供される。ＣｏＭＰにおける移送ポイントの拡張された参照信号電力の測定問題と、測定セット／協働セットの維持問題が解決するため、それによってＣｏＭＰ技術の開発および適用が大幅に促進される。【選択図】図１
2015512576.tif 000002
【特許請求の範囲】
【請求項１】
拡張された参照信号受信電力（ｅＲＳＲＰ）を報告する方法であって、
複数の移送ポイントによって送信されたチャネル状態情報参照信号（ＣＳＩ−ＲＳ）を受信するステップと、
測定構成に基づいて、前記複数の移送ポイントによって送信されるＣＳＩ−ＲＳのｅＲＳＲＰを測定および評価するステップと、
前記測定されたＣＳＩ−ＲＳのｅＲＳＲＰに関する測定レポートを送信するステップと
を含む方法。
【請求項２】
前記測定構成の測定イベントは、前記測定された移送ポイントのＣＳＩ−ＲＳのｅＲＳＲＰがしきい値より良好かどうかを決定するステップ、または前記測定された移送ポイントのＣＳＩ−ＲＳのｅＲＳＲＰが事前設定されたオフセットだけ最も強いｅＲＳＲＰより高いかどうかを決定ステップである、請求項１に記載の方法。
【請求項３】
測定を通じて前記最も強いｅＲＳＲＰを用いる移送ポイントを決定し、次に他の移送ポイントのＣＳＩ−ＲＳのｅＲＳＲＰと前記最も強いｅＲＳＲＰとを比較するステップをさらに含む、請求項２に記載の方法。
【請求項４】
前記２つの測定イベントの終了条件が満たされる場合に、前記測定レポートをトリガするステップをさらに含む、請求項２に記載の方法。
【請求項５】
前記測定構成の測定イベントは、プロトコルＴＳ３６．３３１に基づいて、測定イベントＡ２、Ａ３、またはＡ４であり、前記測定構成は、ＣＳＩ−ＲＳ測定に対する指示情報を含む、請求項１に記載の方法。
【請求項６】
ＣＳＩ−ＲＳ測定に対する指示情報を受信した後、ＣＳＩ−ＲＳ測定のためのｅＲＳＲＰは、前記測定イベントＡ２、Ａ３、またはＡ４の開始条件を評価するために使用される、請求項５に記載の方法。
【請求項７】
前記測定イベントＡ４の終了条件が満たされる場合に、前記測定レポートをトリガするステップをさらに含む、請求項５に記載の方法。
【請求項８】
複数の移送ポイントの前記ＣＳＩ−ＲＳのｅＲＳＲＰを評価するステップは、
前記複数の移送ポイントの少なくとも１つのＣＳＩ−ＲＳのｅＲＳＲＰが測定イベントの開始条件を満たすことを検出するときに、前記ＵＥは、前記測定レポートを基地局に送信するステップ
を含む、請求項１に記載の方法。
【請求項９】
複数の移送ポイントの前記ＣＳＩ−ＲＳのｅＲＳＲＰを評価するステップは、
前記複数の移送ポイントの少なくとも１つのＣＳＩ−ＲＳのｅＲＳＲＰが、ＴｉｍｅＴｏＴｒｉｇｇｅｒの間またはより長く持続する、測定イベントの開始条件を満たすことを検出すると、前記ＵＥは、前記測定レポートを基地局に送信するステップ
を含む、請求項１に記載の方法。
【請求項１０】
前記複数の移送ポイントのＣＳＩ−ＲＳのｅＲＳＲＰに対する測定および評価の間にＳ測定の設定を無視し、主なセルのセル固有の参照信号受信電力（ＲＳＲＰ）が前記Ｓ測定を超える場合に、前記複数の移送ポイントのＣＳＩ−ＲＳのｅＲＳＲＰをまだ測定するステップ
をさらに含む、請求項１に記載の方法。
【請求項１１】
協調マルチポイント（ＣＯＭＰ）の協働セットまたは測定セットを維持するための方法であって、
拡張された参照信号受信電力（ｅＲＳＲＰ）測定レポートを受信するステップであって、前記測定レポートは、測定構成に基づいて測定された複数の移送ポイントのチャネル状態情報参照信号（ＣＳＩ−ＲＳ）のｅＲＳＲＰに関係しているステップと、
前記受信されたｅＲＳＲＰ測定レポートに基づいて、前記協働セットまたは測定セットを維持するステップと
を含む方法。
【請求項１２】
前記測定構成の測定イベントは、前記測定された移送ポイントのＣＳＩ−ＲＳのｅＲＳＲＰがしきい値より良好かどうかを決定するステップ、または前記測定された移送ポイントのＣＳＩ−ＲＳのｅＲＳＲＰが事前設定されたオフセットだけ最も強いｅＲＳＲＰより高いかどうかを決定ステップである、請求項１１に記載の方法。
【請求項１３】
前記測定構成の測定イベントは、プロトコルＴＳ３６．３３１に基づいて、測定イベントＡ２、Ａ３、またはＡ４であり、前記測定構成は、ＣＳＩ−ＲＳ測定に対する指示情報を含む、請求項１１に記載の方法。
【請求項１４】
拡張された参照信号受信電力（ｅＲＳＲＰ）を報告するためのユーザ機器（ＵＥ）であって、
複数の移送ポイントによって送信されるＣＳＩ−ＲＳを受信する状態情報参照信号（ＣＳＩ−ＲＳ）受信デバイスと、
測定構成に基づいて前記複数の移送ポイントのＣＳＩ−ＲＳのｅＲＳＲＰを測定および評価する測定デバイスと、
前記測定されたＣＳＩ−ＲＳのｅＲＳＲＰに関する測定レポートを送信する測定レポート送信デバイスと
を含む、ユーザ機器。
【請求項１５】
前記測定構成の測定イベントは、前記測定された移送ポイントのＣＳＩ−ＲＳのｅＲＳＲＰがしきい値より良好かどうかを決定するステップ、または前記測定された移送ポイントのＣＳＩ−ＲＳのｅＲＳＲＰが事前設定されたオフセットだけ最も強いｅＲＳＲＰより高いかどうかを決定ステップである、請求項１４に記載のユーザ機器。
【請求項１６】
測定を通じて最も強いｅＲＳＲＰを用いる移送ポイントを決定し、次に他の移送ポイントのＣＳＩ−ＲＳのｅＲＳＲＰと前記最も強いｅＲＳＲＰとを比較するように構成された、請求項１５に記載のユーザ機器。
【請求項１７】
前記２つの測定イベントの終了条件が満たされる場合に、前記測定レポートをトリガするように構成された、請求項１５に記載のユーザ機器。
【請求項１８】
前記測定構成の測定イベントは、プロトコルＴＳ３６．３３１に基づいて、測定イベントＡ２、Ａ３、またはＡ４であり、前記測定構成は、ＣＳＩ−ＲＳ測定に対する指示情報を含む、請求項１４に記載のユーザ機器。
【請求項１９】
ＣＳＩ−ＲＳ測定に対する指示情報を受信した後、前記測定イベントＡ２、Ａ３、またはＡ４の開始条件を評価するためにｅＲＳＲＰをＣＳＩ−ＲＳ測定に使用するように構成された、請求項１８に記載のユーザ機器。
【請求項２０】
前記測定イベントＡ４の終了条件が満たされる場合に、前記測定レポートをトリガするように構成された、請求項１８に記載のユーザ機器。
【請求項２１】
複数の移送ポイントのＣＳＩ−ＲＳのｅＲＳＲＰを評価するステップは、
前記複数の移送ポイントの少なくとも１つのＣＳＩ−ＲＳのｅＲＳＲＰが測定イベントの開始条件を満たすことをＵＥが検出した場合、前記測定レポートを基地局に送信するステップ
を含む、請求項１４に記載のユーザ機器。
【請求項２２】
複数の移送ポイントのＣＳＩ−ＲＳのｅＲＳＲＰを評価するステップは、
前記複数の移送ポイントの少なくとも１つのＣＳＩ−ＲＳのｅＲＳＲＰが、ＴｉｍｅＴｏＴｒｉｇｇｅｒの間またはより長く持続する、測定イベントの開始条件を満たすことを検出するときに、前記測定レポートを基地局に送信するステップ
を含む、請求項１４に記載のユーザ機器。
【請求項２３】
前記複数の移送ポイントのＣＳＩ−ＲＳのｅＲＳＲＰに対する測定および評価の間にＳ測定の設定を無視し、主なセルのセル固有の参照信号受信電力（ＲＳＲＰ）がＳ測定を超える場合、前記複数の移送ポイントのＣＳＩ−ＲＳのｅＲＳＲＰをまだ測定する
ように構成された、請求項１４に記載のユーザ機器。
【請求項２４】
協調マルチポイント（ＣｏＭＰ）測定セット／協働セットを維持するための基地局であって、
拡張された参照信号受信電力（ｅＲＳＲＰ）測定レポートを受信する測定レポート受信デバイスであって、前記測定レポートは、測定構成に基づいて測定された複数の移送ポイントのチャネル状態情報参照信号（ＣＳＩ−ＲＳ）のｅＲＳＲＰに関係する測定レポート受信デバイスと、
前記受信されたｅＲＳＲＰ測定レポートに基づいて、前記測定セット／協働セットを維持する測定セット／協働セット維持デバイスと
を含む、基地局。
【請求項２５】
前記測定構成の測定イベントは、前記測定された移送ポイントのＣＳＩ−ＲＳのｅＲＳＲＰがしきい値より良好かどうかを決定するステップ、または前記測定された移送ポイントのＣＳＩ−ＲＳのｅＲＳＲＰが事前設定されたオフセットだけ最も強いｅＲＳＲＰより高いかどうかを決定ステップである、請求項２４に記載の基地局。
【請求項２６】
前記測定構成の測定イベントは、プロトコルＴＳ３６．３３１に基づいて、測定イベントＡ２、Ａ３、またはＡ４であり、前記測定構成は、ＣＳＩ−ＲＳ測定に対する指示情報を含む、請求項２４に記載の基地局。
【発明の詳細な説明】
【技術分野】
【０００１】
本発明は、協調マルチポイント（ＣｏＭＰ）を管理するための方法およびデバイスに関し、特に、ユーザ機器（ＵＥ）の測定レポートに基づいて、ＣｏＭＰ測定セットまたは協働セットを管理する方法およびデバイスに関する。
【背景技術】
【０００２】
ＣｏＭＰ送信は、ロング・ターム・エボリューション・アドバンスト（ＬＴＥ−Ａｄｖａｎｃｅｄ）プロジェクトの期待される技術である。この技術は、セル間干渉（ＩＣＩ）を効果的に減らし、高いデータ転送速度の有効範囲、セル・エッジのスループット、および／またはシステム・スループットを改善することができる。協調は、同機種ネットワーク間又は異機種ネットワーク間で実施することができる。
【０００３】
第３世代パートナーシップ・プロジェクト（３ＧＰＰ）で確認された重要なシナリオは、マクロ・セルの有効範囲において、各リモート無線ヘッド（ＲＲＨ）によって作成される移送／受信ポイントは、マクロ・セルと同じセル識別子を持つということである。このシナリオでは、ＵＥにデータを送信したり、またはＵＥからデータを受信したりするために、ネットワークは１つまたは複数の送信ポートを使用することができる。ＣｏＭＰ構成を促進し、ネットワークが崩壊するのを防ぐために、ネットワークは、ＵＥによって提供されるこれらのポートに関する測定情報により協働セット（ｃｏｏｐｅｒａｔｉｎｇ  ｓｅｔ）を確立するために適切なポートを選択し、協働セットを維持する必要がある。
【０００４】
現在のプロトコル仕様によれば、参照信号受信電力（ＲＳＲＰ）は、測定周波数帯域でセル固有の参照信号（ＣＲＳ）を運ぶリソースの電力貢献の線形平均として定義される。要するに、ＣＲＳのＲＳＲＰに対する測定だけが提供される。たとえば、３ＧＰＰのＴＳ３６．２１１［３］仕様によれば、アンテナ・ポート０にマッピングされたＣＲＳは、ＲＳＲＰを決定するために使用される。アンテナ・ポート１にマッピングされたＣＲＳをＵＥが確実に検出できる場合、アンテナ・ポート１にマッピングされたＣＲＳは、ＲＳＲＰを一緒に決定するためにも使用することができる。上記の重要なシナリオでは、ＲＲＨのいずれもＣＲＳを送信しないため、ＵＥは、異なるＲＲＨの経路損失値を取得することができず、マクロ・セルによって管理される基地局は、ＵＥに対する適切なＣｏＭＰ協働セットまたはＣｏＭＰ測定セットを選択することができない。したがって、基地局がマルチポイントの協働セットまたは測定セットを管理するのを支援するために、異なるＲＲＨを区別できる測定機構を開発する必要がある。
【先行技術文献】
【非特許文献】
【０００５】
【非特許文献１】３ＧＰＰ  ＴＳ３６．２１１［３］
【非特許文献２】３ＧＰＰ  ＴＳ３６．３３１
【非特許文献３】３ＧＰＰ  ＴＳ３６．３０４
【発明の概要】
【発明が解決しようとする課題】
【０００６】
本発明は、ＣｏＭＰにおいて移送ポイントのチャネル状態情報参照信号（ＣＳＩ−ＲＳ）の拡張されたＲＳＲＰ（ｅＲＳＲＰ）を測定するための方法およびデバイス、ならびに各移送ポイントのチャネル状態を取得および管理するために、測定に基づいて協働セットを維持するための方法およびデバイスを提供する。
【課題を解決するための手段】
【０００７】
本発明の実施形態は、複数の移送ポイントによって送信されたＣＳＩ−ＲＳを受信するステップと、測定構成に基づいて複数の移送ポイントのＣＳＩ−ＲＳのｅＲＳＲＰを測定および評価するステップと、測定されたＣＳＩ−ＲＳのｅＲＳＲＰに関する測定レポートを送信するステップとを含む、ｅＲＳＲＰを報告するための方法を提供する。
【０００８】
したがって、本発明の他の実施形態は、ｅＲＳＲＰ測定レポートを受信するステップと、受信されたｅＲＳＲＰ測定レポートに基づいて協働セットを維持するステップとを含む、ＣｏＭＰ測定セットまたは協働セットを維持する方法を提供する。
【０００９】
一実施形態では、測定構成の測定イベントは、移送ポイントの測定されたＣＳＩ−ＲＳのｅＲＳＲＰが、しきい値より良好かどうか、または移送ポイントのＣＳＩ−ＲＳの測定されたｅＲＳＲＰが、事前設定されたオフセットだけ最も強いｅＲＳＲＰより高いかどうかを決定するステップを含む。他の実施形態によれば、測定イベントは、測定を通じて最も強いｅＲＳＲＰを用いる移送ポイントを決定するステップと、次に他の移送ポイントのＣＳＩ−ＲＳのｅＲＳＲＰと最も強いｅＲＳＲＰとを比較するステップとをさらに含む。２つの測定イベントの終了条件が満たされると、測定レポートがトリガされる。一実施形態では、測定構成の測定イベントは、プロトコルＴＳ３６．３３１に基づいて、測定イベントＡ２、Ａ３、またはＡ４を含み、測定構成は、ＣＳＩ−ＲＳ測定に対する指示（ｉｎｄｉｃａｔｉｏｎ）情報を含む。ＣＳＩ−ＲＳ測定に対する指示情報が受信された後、ＣＳＩ−ＲＳの測定されたｅＲＳＲＰは、測定イベントＡ２、Ａ３、またはＡ４の開始条件を評価するために使用される。さらに、測定イベントＡ４の終了条件が満たされる場合、測定レポートがトリガされる。本発明の一実施形態によれば、複数の移送ポイントのＣＳＩ−ＲＳのｅＲＳＲＰを評価するステップは、複数の移送ポイントの少なくとも１つのＣＳＩ−ＲＳのｅＲＳＲＰが測定イベントの開始条件を満たすことをＵＥが検出する場合、ＵＥが、測定レポートを基地局に送信することを含む。他の実施形態では、ＴｉｍｅＴｏＴｒｉｇｇｅｒの間、またはより長く、測定イベントの開始条件が満たされた状態が持続する場合、ＵＥは、測定レポートを基地局に送信する。さらに、一実施形態では、Ｓ測定の設定は、複数の移送ポイントのＣＳＩ−ＲＳのｅＲＳＲＰの測定および評価の間は無視され、主なセルのセル固有のＲＳＲＰがＳ測定を超える場合、複数の移送ポイントのＣＳＩ−ＲＳのｅＲＳＲＰに対して測定がまだ実行される。
【００１０】
本発明の一実施形態は、ＣＳＩ−ＲＳ受信デバイスと、測定構成に基づいて複数の移送ポイントのＣＳＩ−ＲＳのｅＲＳＲＰを測定および評価する測定デバイスと、測定レポート送信デバイスとを含むＵＥをさらに提供する。
【００１１】
本発明の他の実施形態は、ｅＲＳＲＰ測定レポートを受信する測定レポート受信デバイスと、受信されたｅＲＳＲＰ測定レポートに基づいて測定セット／協働セットを維持する協働セットの維持デバイスとを含む基地局を提供する。
【００１２】
ＣｏＭＰにおいて移送ポイントのＣＳＩ−ＲＳのｅＲＳＲＰを測定するための方法およびデバイス、ならびに測定に基づいて測定セット／協働セットを維持するための方法およびデバイスは、ＣｏＭＰにおいて移送ポイントの参照信号電力を得られないという現在の問題を解決し、方法およびデバイスは、ＵＥの移動および干渉の管理に適用することができ、ＣｏＭＰ技術のさらなる開発および適用を促進するだろう。
【図面の簡単な説明】
【００１３】
【図１】一実施形態によるＣｏＭＰにおける移送ポイント／協働ポイントのＣＳＩ−ＲＳのｅＲＳＲＰを測定および報告するための方法を示すフローチャートである。
【図２】本発明の一実施形態によるＣｏＭＰ協働セットを維持するための方法を示すフローチャートである。
【図３】本発明の一実施形態によるＣｏＭＰ協働セットを維持するための通信システムの構造を示すブロック図である。
【発明を実施するための形態】
【００１４】
本発明の精神をより理解するために、以下に本発明の代表的な実施形態についてさらに詳細に記述する。
【００１５】
セル１つだけまたは同じセル内の移送ポイント１つだけが、ＵＥにサービスを提供する従来技術と異なり、ＣｏＭＰ通信システムでは、複数のセルまたは同じセル内の複数の移送ポイントがＵＥにサービスを提供する。協調セルまたは同じセル内の協調移送ポイントは、ＵＥにＣｏＭＰソリューションを提供する協働セットを形成する。一般的に、これらのセルは同じ周波数帯域に属する。ＣｏＭＰ以外では、ＵＥは、同じ周波数帯域の複数のセルまたは同じセル内の複数の移送ポイントからデータを受信する必要はなく、代わりに、ＵＥは、単一のセル（すなわち主なセル）から物理ダウンリンク共有チャネル（ＰＤＳＣＨ）および物理ダウンリンク制御チャネル（ＰＤＣＣＨ）だけを受信する必要がある。他の態様では、既存の仕様において、ＲＳＲＰは、単にＣＲＳに基づいて測定され、その結果、異なる移送ポイントのＲＳＲＰに対する測定レポートを提供することができず、ＣｏＭＰを維持するためにＲＳＲＰを使用することができない。
【００１６】
技術の開発および標準の更新のために、同じ機能を持つコンポーネントは通常、異なる名前を持つことに注意されたい。たとえば、ＬＴＥでは、当業者にとって、移送ポイントの言外の意味は、一般的に、移送ポイント、ポート、ＲＨＨなどを含む。ＣｏＭＰでは、移送ポイントおよび協働ポイントは、交替して使用されることもある。本発明の特許出願の仕様で使用される専門用語は、本発明の技術的解決策を例示し示すためのものである。専門用語は、技術分野において合意された機能に従うものであり、その名前により任意に解釈されるべきでない。
【００１７】
本発明の一実施形態は、ＣｏＭＰにおける移送ポイント／協働ポイントのＣＳＩ−ＲＳのｅＲＳＲＰのための測定機構、および測定に基づいてＣｏＭＰ構成のために維持を提供する。ｅＲＳＲＰは、従来のＲＳＲＰとは異なり、ＣＲＳの測定に限定されず、代わりに、ｅＲＳＲＰは、任意の参照信号の測定に使用することができ、ＲＳＲＰおよび／または参照信号の受信された品質を含む。
【００１８】
図１は、一実施形態によるＣｏＭＰの移送ポイント／協働ポイントのＣＳＩ−ＲＳのｅＲＳＲＰを測定および報告する方法１０のフローチャートである。ＬＴＥ−１０では、ＣＳＩ−ＲＳは、多入力多出力（ＭＩＭＯ）に導入されており、１、２、４、または８つのポートで送信することができる。特定の測定および報告は、ＵＥによって完了される。
【００１９】
ステップ１００では、ＵＥは、信号送信を通じて基地局によって送信された測定構成を受信し、ここで測定構成は、複数の移送ポイントのＣＳＩ−ＲＳのｅＲＳＲＰを測定するようにＵＥに示す。これらの移送ポイントは、ＵＥのＣｏＭＰ測定セットに属する場合があり、または属さない場合がある。ＣｏＭＰ測定セットは、物理レイヤでＵＥによって、チャネル品質インジケータ（ＣＱＩ）およびプリコーディング行列指標（ＰＭＩ）などチャネル状態情報をフィード・バックする必要がある１組の移送ポイントを表している。測定構成により測定を実行するＵＥは、測定を実行するそのレイヤ３（物理レイヤの上位レイヤ）を表している。測定構成は、主なセルのセル固有のＲＳＲＰがＳ測定を超えても、複数の移送ポイントのＣＳＩ−ＲＳのｅＲＳＲＰを測定するようにＵＥに示すことができるか、またはそのような指示を含まない場合がある。プロトコル指定の事前定義を通じて、ＵＥは、測定構成によって示されることなく、主なセルのセル固有のＲＳＲＰがＳ測定を超えても、複数の移送ポイントのＣＳＩ−ＲＳのｅＲＳＲＰをまだ測定することができる。主なセルは、ＵＥに対して非アクセス・レイヤ移動情報（ロケーション・エリア識別など）を提供するセルを表し、また、ＵＥが無線リソース制御（ＲＲＣ）接続を維持するセルを表している。従来技術によれば、サービスを提供する基地局がＵＥに対してＳ測定を構成する場合、基地局は、ＵＥが隣接セルを測定する必要があるかどうかを制御することができる。主なセルのＲＳＲＰがＳ測定より高くなると、ＵＥは、隣接セルに対して測定を実行しない場合がある。しかし、実際には、協調する移送ポイントまたは協調方式（ジョイント送信（ＪＴ）、動的なポイント選択、または協調スケジューリング／ビームフォーミング（ＣＳ／ＣＢ））を決定するために、サービスを提供するセルのＲＳＲＰがＳ測定より高くても、ＵＥは、まだ、複数の移送ポイントのＣＳＩ−ＲＳのｅＲＳＲＰを測定する必要があり、そうでない場合には、サービスを提供する基地局は、どの移送ポイントがＵＥのデータ送信に適切かを認識することができず、ＵＥに対して協働セット／ＣｏＭＰ測定セットを維持することができない。
【００２０】
測定構成を受信した後、ＵＥは、測定対象、すなわち測定される周波数を考慮する。さらに、ＵＥは、測定されるＣＳＩ−ＲＳを決定する必要がある。ステップ１０１では、ＵＥは、移送ポイントによって送信されたＣＳＩ−ＲＳを受信する。
【００２１】
次に、ステップ１０２で、ＵＥは、測定構成に基づいて各移送ポイントのＣＳＩ−ＲＳのｅＲＳＲＰを測定および評価する。ＵＥは、測定イベントの開始条件または終了条件により測定結果を評価する。１つまたは複数の移送ポイントのＣＳＩ−ＲＳ測定結果が、開始条件を満たすことが検出されると（またはこの状態がＴｉｍｅＴｏＴｒｉｇｇｅｒと呼ばれる期間だけ持続する）、ＵＥは、測定結果を測定レポートに記載し、測定レポートを基地局に送信する。すなわち、測定イベントの開始条件が満たされ、この状態がＴｉｍｅＴｏＴｒｉｇｇｅｒの間またはより長く持続する場合に限り、ＵＥは、測定レポートを基地局に送信する。本発明の一実施形態によれば、測定イベントは、移送ポイントの測定されたＣＳＩ−ＲＳのｅＲＳＲＰが、しきい値より良好かどうか、または移送ポイントのＣＳＩ−ＲＳの測定されたｅＲＳＲＰが最も強いｅＲＳＲＰより小さいかどうか（または移送ポイントのＣＳＩ−ＲＳの測定されたｅＲＳＲＰが、事前設定されたオフセットだけ最も強いｅＲＳＲＰより高いか、ただしオフセットは負の値である）を決定することができる。前者のイベントが採用される場合、測定構成はしきい値を含み、またＣＳＩ−ＲＳ固有のオフセットを含むことができ、ＣＳＩ−ＲＳ固有のオフセットは、異なる移送ポイントのｅＲＳＲＰを補正するために使用される。後者のイベントが採用される場合、ＵＥは、比較を通じて、これらの移送ポイントの中でＣＳＩ−ＲＳが最も強いｅＲＳＲＰを持つ移送ポイントを決定し、次に他のＣＳＩ−ＲＳのｅＲＳＲＰ値と最も強いｅＲＳＲＰ値とを比較する必要がある。両方の測定イベントは、現在のプロトコルでは定義されていない新奇なイベントである。セル間ＣｏＭＰの場合には、最も強いｅＲＳＲＰを用いる移送ポイントは主なセルであり、このときに、測定イベントは、他のセルのＣＳＩ−ＲＳのｅＲＳＲＰが事前設定されたオフセットだけ主なセルのｅＲＳＲＰより高いかどうかを決定するようになることに留意されたい。測定イベントは、また、現在のプロトコルＴＳ３６．３３１に基づいて、測定イベントＡ２、Ａ３、またはＡ４の場合がある。この場合、ＵＥは、基地局から新しいトリガリング量を含む測定識別情報を受信する必要があり、新しいトリガリング量は、測定構成にもある。測定識別情報に対応する測定対象は、測定される複数のＣＳＩ−ＲＳを示している。測定対象は、異なるＣＳＩ−ＲＳを示すために使用される新しい情報要素（ＩＥ）を含み、また、ＵＥが測定結果を評価する場合に、測定されたｅＲＳＲＰ値を調整するために、ＣＳＩ−ＲＳ固有のオフセットを含むことができる。この場合、測定識別情報を受信する場合、ＵＥは、ＣＳＩ−ＲＳのｅＲＳＲＰの測定に対して設定された（ｅＲＳＲＰに設定されている場合がある）新しいトリガリング量を見つけ、それによって、異なる移送ポイントからＣＳＩ−ＲＳのｅＲＳＲＰを測定する。測定イベントＡ４について、その終了条件が満たされる場合、測定レポートがトリガされるように設定され、これは、一部の移送ポイントのＣＳＩ−ＲＳのｅＲＳＲＰがしきい値より低い場合、ＵＥが測定レポートをトリガすることを示すために測定構成に新しい指示を必要とする。
【００２２】
ステップ１０３では、ＵＥは、関係する測定レポートを基地局に送信し、測定レポートにおいて、ＣＳＩ−ＲＳの測定されたｅＲＳＲＰ値は、ＣＳＩ−ＲＳを区別するために、対応するＣＳＩ−ＲＳ識別子にリンクされる。
【００２３】
本発明の一実施形態によれば、測定構成は、また、退去時レポート（ｒｅｐｏｒｔ−ｏｎ−ｌｅａｖｅ）機構を含むことができる。測定構成が有効な退去時レポートを含む場合（退去時レポートがＴｒｕｅに設定される）、ＵＥは、測定評価において測定イベントの終了条件を満たす移送ポイントを見つける。ＵＥは測定レポートを報告する必要があり、現在、測定イベントの開始条件をまだ満たす移送ポイントおよび対応するｅＲＳＲＰを基地局に報告する。測定構成が退去時レポート機構を含まない場合、新しい指示は、測定イベントの終了条件が満たされる場合（たとえば、ＣＳＩ−ＲＳリソースのｅＲＳＲＰがしきい値より劣る、またはＣＳＩ−ＲＳリソースのｅＲＳＲＰが最も強いｅＲＳＲＰのオフセットより大きいなど）、ＵＥは、また、測定レポートを基地局に報告することを示すために測定構成に追加される。終了条件を満たす１つまたは複数の移送ポイントについて、サービスを提供する基地局は、ＣｏＭＰ測定セット／協働セットから移送ポイントを削除する。すなわち、サービスを提供する基地局は、ＣｏＭＰ測定セットから移送ポイントを取り除き、それによって協働セットから移送ポイントを排除する。測定イベントＡ２について、本発明の一実施形態によれば、サービスを提供する基地局は、拡張されたＡ２として測定イベントＡ２を再使用することができることに留意されたい。現在のＡ２測定は、主なセルに導かれる一方、拡張されたＡ２は、ＣｏＭＰ協働セット／測定セットの移送ポイントに導かれる。拡張された測定イベントＡ２の測定レポートを受信する場合、サービスを提供する基地局は、現在のＣｏＭＰ協働セット／測定セットから協働ポイント（移送ポイント）を取り除く必要がある。ＵＥが拡張されたＡ２を受信すると、ＵＥは、ＣｏＭＰ測定セットにおいて移送ポイントのＣＳＩ−ＲＳのｅＲＳＲＰを測定する。Ａ２の開始条件が満たされると（すなわち、移送ポイントのｅＲＳＲＰが事前設定されたしきい値より低い）、ＵＥは、測定レポートを基地局に送信する必要がある。
【００２４】
さらに、本発明の一実施形態によれば、テスト構成はＴｉｍｅＴｏＴｒｉｇｇｅｒを含む。本発明は、セル間の移動処理ではなく、ＣＳＩ−ＲＳのｅＲＳＲＰの測定に導かれる。したがって、測定を実行する場合、ＵＥは、ＵＥ速度によりＴｉｍｅＴｏＴｒｉｇｇｅｒを調整しない。ＵＥが、測定イベントの開始条件または終了条件が満たされることを評価する場合、ＵＥは、測定構成でＴｉｍｅＴｏＴｒｉｇｇｅｒを使用する。ＴｉｍｅＴｏＴｒｉｇｇｅｒは、ＵＥの移動速度により調整されない。ＵＥの移動状況は、ｅＲＳＲＰの測定に影響しない。しかし、従来技術では、測定イベントは移動管理に使用される。ＵＥは、ＵＥの移動速度により基地局によって構成されるＴｉｍｅＴｏＴｒｉｇｇｅｒを調整する。たとえば、ＵＥは、移動状況を検出し、ＴＳ３６．３０４の仕様によりＴｉｍｅＴｏＴｒｉｇｇｅｒを調整して、調整された値を使用して測定対象を評価する。
【００２５】
本発明では、基地局は、ＣＳＩ−ＲＳのｅＲＳＲＰを測定するために測定構成をＵＥに送信し、その一方、測定構成は、また、その移動および干渉の管理に使用される。他方では、基地局は、受信された測定レポートに基づいて、異なる移送ポートの明確なチャネル環境を迅速に認識することができる。図２は、本発明の一実施形態によるＣｏＭＰ協働セットを維持するための方法２０を示すフローチャートである。ステップ２００で、基地局は、ＵＥから、複数の移送ポイントのＣＳＩ−ＲＳのｅＲＳＲＰに関する測定レポートを受信する。ステップ２０１で、基地局は、測定レポートに基づいて協働セット／測定セットを維持し、ＵＥについて、ＵＥにＣｏＭＰを提供する協働セット／測定セットを維持（構成）する。すなわち、協働セットにおいてより適切な移送ポイントを追加または維持し、協働セット／移送セットから不十分なチャネル状態を持つ移送ポイントを排除する。基地局は、測定レポートによりＵＥに対するＣｏＭＰ測定セットを構成するため、ＵＥは、ＣＳＩ−ＲＳのｅＲＳＲＰとは別に、ＰＭＩなど他の測定結果をフィード・バックし、それによって物理アップリンク制御チャネルまたは物理アップリンク共有チャネルで短期的なＣＳＩを報告する。
【００２６】
図３は、本発明の一実施形態によるＣｏＭＰ測定セット／協働セットを維持するための通信システムの構造を示すブロック図である。通信システムでは、ＵＥ４０は、複数の移送ポイント／協働ポイントによって送信されるＣＳＩ−ＲＳを受信するために使用されるＣＳＩ−ＲＳ受信デバイス４００と、測定構成に基づいて、複数の移送ポイント／協働ポイントによって送信されるＣＳＩ−ＲＳのｅＲＳＲＰを測定および評価するために使用される測定デバイス４０１と、ＣＳＩ−ＲＳの測定されたｅＲＳＲＰに関する測定レポートを送信するために使用される測定レポート送信デバイス４０２とを含む。同様に、基地局４１は、ｅＲＳＲＰ測定レポートを受信するために使用される測定レポート受信デバイス４１０、および受信されるｅＲＳＲＰ測定レポートに基づいて、測定セット／協働セットを維持するために使用される協働セット維持デバイス４１１を含む。
【００２７】
本発明は、ＣｏＭＰにおいて各移送ポイントのＣＳＩ−ＲＳのｅＲＳＲＰを測定および報告するための方法およびデバイス、ならびに関係する測定レポートに基づいて測定セット／協働セットを維持するための方法およびデバイスを提供し、それによって従来技術の問題を解決して、ＣｏＭＰ技術のさらなる開発および実装を促進する。
【００２８】
本発明の技術的な内容および技術的な特徴について上に開示している。しかし、当業者は、本発明の教示に基づいて、本発明の精神から逸脱することなく、様々な交換および修正を行うことができる。したがって、本発明の保護範囲は、実施形態の開示に限定されず、本発明から逸脱しないすべての交換および修正を含み、本特許出願の特許請求の範囲によって述べられるものとする。
【図１】
2015512576.tif 000003
【図２】
2015512576.tif 000004
【図３】
2015512576.tif 000005
【国際調査報告】
2015512576.tif 000006
2015512576.tif 000007
2015512576.tif 000008